(57)【特許請求の範囲】
【請求項１】
筐体の開口部から突出した起倒形操作ハンドルのつまみ部により筐体内部の開閉機構部を開閉操作するようになされた開閉器に対して設ける開閉器の操作ハンドルロック装置において、上記操作ハンドルのつまみ部の上端にその起倒方向に穿設された係止孔、上記操作ハンドルのつまみ部に係合することにより上記操作ハンドルの操作を拘束するロックカバ−、一端に上記つまみ部の係止孔に挿入される係止ピンを有し他端に複数の錠が施錠可能な施錠孔を有する施錠部材を備え、上記ロックカバ−をつまみ部に係合し、上記つまみ部の係止孔に係止ピンを挿入すると共に上記施錠部材を装着することによって、上記ロックカバ−の取外しを抑止し、上記施錠部材の施錠孔に施錠することによって施錠部材を取外しできないようにしたことを特徴とする開閉器の操作ハンドルロック装置。
【請求項２】
筐体の開口部から突出した起倒形操作ハンドルのつまみ部により筐体内部の開閉機構部を開閉操作するようになされた開閉器に対して設ける開閉器の操作ハンドルロック装置において、上記操作ハンドルに隣接して上記筐体に固着されるように形成されると共に操作ハンドルの起倒方向に穿設された係止孔及びこの係止孔に対して横方向から穿設された複数の施錠孔を有する施錠部材、上記係止孔に挿入される係止ピンと上記複数の施錠孔に連通する施錠開口部及び上記操作ハンドルに係合するハンドルロック部とを有するロック部材を備え、上記筐体に固着された施錠部材の係止孔に上記ロック部材の係止ピンを挿入し、かつ、施錠開口部を介して施錠孔に施錠することによって、操作ハンドルの操作を拘束すると共に上記ロック部材を抜取りできないようにしたことを特徴とする開閉器の操作ハンドルロック装置。
【発明の詳細な説明】
【０００１】
【発明の属する技術分野】
この発明は、例えば開閉器の操作ハンドルロック装置、特に回路遮断器や漏電遮断器等の起倒形操作ハンドルをＯＮあるいはＯＦＦ状態にロックし、開閉操作を禁止するようにした開閉器の操作ハンドルロック装置に関する。
【０００２】
【従来の技術】
図５ないし図１０は、例えば特開平４−１９０５２４号公報に示された開閉器の操作ハンドルロック装置に関するもので、図５は操作ハンドルロック装置の平面図、図６は側面図である。図７は、開閉器の操作ハンドル部を示す斜視図である。図８、図９は、ハンドルロックカバーを示すもので、図８は斜視図、図９は平面図、図１０は図９の線Ａ−Ａに沿う断面図である。
図において、１は開閉器であり、例えば回路遮断器である。２は合成樹脂で形成されたカバ−２ａとベース２ｂからなる筐体である。筐体２の内部には開閉接点を開閉する開閉機構等（図示せず）が収納されている。３はカバー２ａに形成された開口部である。４は起倒形の操作ハンドルであり、つまみ部５を有する。このつまみ部５は、開口部３から突出するように形成され、指先で回動（起倒）操作される。５ｃはつまみ部５に穿設された係止孔であり、図７に示すようにつまみ部５の回動（起倒）方向において、前面５ａから後面５ｂへ貫通されたものである。
【０００３】
１０はつまみ部５に対し、上方より装着されるハンドルロックカバーであり、弾性を有する合成樹脂材で形成され、次のように構成されている。即ち、図８に詳細を示すように、１１はつまみ部５と所定の精度で嵌合する嵌合角孔である。１２は掛止部材であるロック片であり、固定部１３から図の上方に、即ち、つまみ部５の突出方向へ延長して片持アーム状に形成されている。従って、図１０にに示すように左右方向（矢印方向）に弾性変形可能である。このロック片１２には、つまみ部５の係止孔５ｃと嵌合する小突起１４を有している。１５は支持板であり、南京錠１６のアーム１６ａが挿通される施錠孔１５ａが形成されている。なお、１０ｃは、操作ハンドル４に表示されたＯＮ，ＯＦＦの文字を見るための窓孔である。
【０００４】
このような従来の開閉器の操作ハンドルロック装置においては、操作ハンドル４のつまみ部５の上方からハンドルロックカバー１０が装着され、ハンドルロックカバー１０がつまみ部５に対して回動しないように嵌合される。同時にハンドルロックカバー１０の下面１０ａがカバー２ａに当接するとともに突起１０ｂが開口部３の内部にはまり込み、ハンドルロックカバー１０がつまみ部５の回動方向と直角方向にずれるのを防止する。そして、ロック片１２を左方向に弾性変形させて小突起１４をつまみ部５の貫通孔５ｃと嵌合させ、施錠孔１５ａに南京錠１６のアーム１６ａを挿通して図６に示す状態に構成することにより、ハンドルロックカバー１０をつまみ部５から取り外そうとしても小突起１４が貫通孔５ｃに掛止され取り外すことができない施錠状態となる。
【０００５】
【発明が解決しようとする課題】
上記のような従来の開閉器の操作ハンドルロック装置では、ハンドルロックカバー１０に施錠孔１５ａが１個しか設けられてないので、南京錠１６を１個しか装着できない。重要な電気回路では、複数の電気管理者が異なる複数の南京錠１６を用いて施錠する手段をとることがあるが、上記の従来の装置では複数の南京錠を用いて施錠することができなかった。
【０００６】
この発明は、かかる問題点を解決するためになされたものであり、複数の錠を装着できる開閉器の操作ハンドルロック装置を得ることを目的とする。
【０００７】
【課題を解決するための手段】
この発明に係るハンドルロック装置は、筐体の開口部から突出した起倒形操作ハンドルのつまみ部により筐体内部の開閉機構部を開閉操作するようになされた開閉器に対して設ける開閉器の操作ハンドルロック装置において、操作ハンドルのつまみ部の上端にその起倒方向に穿設された係止孔、操作ハンドルのつまみ部に係合することにより操作ハンドルの操作を拘束するロックカバ−、一端につまみ部の係止孔に挿入される係止ピンを有し他端に複数の錠が施錠可能な施錠孔を有する施錠部材を備え、ロックカバ−をつまみ部に係合し、つまみ部の係止孔に係止ピンを挿入すると共に施錠部材を装着することによって、上記ロックカバ−の取外しを抑止し、施錠部材の施錠孔に施錠することによって施錠部材を取外しできないようにしたものである。
【０００８】
また、操作ハンドルに隣接して筐体に固着されるように形成されると共に操作ハンドルの起倒方向に穿設された係止孔及びこの係止孔に対して横方向から穿設された複数の施錠孔を有する施錠部材、係止孔に挿入される係止ピンと複数の施錠孔に連通する施錠開口部及び操作ハンドルに係合するハンドルロック部とを有するロック部材を備え、筐体に固着された施錠部材の係止孔に上記ロック部材の係止ピンを挿入し、かつ、施錠開口部を介して施錠孔に施錠することによって、操作ハンドルの操作を拘束すると共にロック部材を抜取りできないようにしたものである。
【０００９】
【発明の実施の形態】
実施の形態１．
図１は、この発明の開閉器の操作ハンドルロック装置を示す側面図である。図２は、要部分解斜視図である。
図において、１は開閉器であり、例えば回路遮断器である。２は合成樹脂で形成されたカバ−２ａとベース２ｂからなる筐体で開閉機構等（図示せず）が収納されている。３はカバー２ａに形成された開口部である。４は起倒形の操作ハンドルであり、つまみ部５を有する。これらは、上記従来の装置と同様のものである。なお、５ｃは係止孔であり、つまみ部５の上端においてその回動（起倒）方向に穿設されている。
【００１０】
２０はハンドルロックカバーであり、合成樹脂例えばポリエステル系樹脂材で形成されている。このハンドルロックカバー２０は、カバー２ａの開口部３の上面に当接するベース部２１と、このベース部２１の一端から突出し、操作ハンドル４のつまみ部５と所定の精度で嵌合するように形成された嵌合角孔２２を有する。また、ベース部２１の下側には、カバー２ａの開口部３に当接する下端面２１ａ及び開口部３の内側にはまり込む突起２３が形成されている。２５は施錠部材であり、鉄板等の金属材料でＬ字状に形成され、一端に上記係止孔５ｃに挿入されるロックピン２７を有し他端に複数の南京錠１６のアーム１６ａが装着可能なように長孔に形成された施錠孔２６を有している。
【００１１】
このように構成された開閉器の操作ハンドルロック装置においては、図２に示すように、操作ハンドル４のつまみ部５の上方からハンドルロックカバー２０が装着され、ハンドルロックカバー２０が操作ハンドル４を回動（起倒）できないように嵌合される。即ち、ハンドルロックカバー２０のベース部２１の下端面２１ａがカバー２ａに当接するとともに、突起２３が開口部３の内側にはまり込み、操作ハンドル４ををロックする。また、このはまり込みにより、ハンドルロックカバー２０が操作ハンドル４の回動（起倒）方向と直角方向にずれるのを防止している。
【００１２】
上記構成の操作ハンドルロック装置は、ハンドルロックカバー２０の上端面２０ａから突出したつまみ部５の係止孔５ｃに、施錠部材２５に設けられたロックピン２７を挿通し、施錠孔２６に南京錠１６のアーム１６ａを挿通して図１に示す施錠状態にする。この施錠状態により、ハンドルロックカバー２０をつまみ部５から取外そうとしても、ハンドルロックカバー２０の上端面２０ａが施錠部材２５のロックピン２７により抑止される。また、施錠部材２５は、南京錠１６のアーム１６ａがつまみ部５の前面５ａに当るので、施錠部材２５の取外しが抑止される。なお、施錠部材２５の施錠孔２６を長孔に形成したので、複数の南京錠１６を装着することができる。
【００１３】
このように構成された開閉器の操作ハンドルロック装置では、操作ハンドル４のつまみ部５に装着されたハンドルロックカバー２０と、このハンドルロックカバー２０から突出したつまみ部５の貫通孔５ｃを介して施錠部材２５が設置される。従って、施錠孔２６を介して、複数の電気管理者がそれぞれ異なる南京錠１６を用いて施錠することが可能で、重要な電気回路を複数の電気管理者が管理することが容易にできる。
【００１４】
実施の形態２．
図３は、この発明の実施の形態２の開閉器の操作ハンドルロック装置を示す側面図である。図４は、要部の分解斜視図である。
図において、１は開閉器であり、例えば回路遮断器である。２は合成樹脂で形成されたカバ−２ａとベース２ｂからなる筐体で開閉機構等（図示せず）が収納されている。３はカバー２ａに形成された開口部である。４は起倒形の操作ハンドルであり、つまみ部５を有する。これらは、上記実施の形態１の装置と同様のものである。３０は施錠部材であり、鉄板等の金属材料を折り曲げて形成され、取付けねじ３１により筐体２に装着する固定部３０ａと、この固定部３０ａから上方に折れ曲がり後述の係止ピン３２ｂが挿通される係止孔３０ｂを有する抜止め片３０ｃと、この抜止め片３０ｃから横方向にＬ字状に折れ曲がった施錠片３０ｄが形成されると共に、この施錠片３０ｄには複数の施錠孔３０ｅが形成されている。この複数の施錠孔３０ｅのそれぞれの中心位置は、施錠片３０ｄの上端面３０ｆからそれぞれ異なる位置に形成されている。
【００１５】
３２はロック部材であり、合成樹脂例えばポリアセタール樹脂材で形成され、施錠部材３０を筐体２に取付けた取付けねじ３１の頭部を覆う封印プレート３２ａと、施錠部材３０の係止孔３０ｂに挿入される係止ピン３２ｂと、施錠部材３０の施錠片３０ｄに当接し複数の施錠孔３０ｅに連通する施錠開口部である複数の施錠溝３２ｃを有する側板３２ｄと、この側板３２ｄから突出した突起部すなわち操作ハンドル４のつまみ部５と係合して、操作ハンドル４の回動（起倒）を阻止するハンドルロック部３２ｅとを有している。
【００１６】
このように構成された開閉器の操作ハンドルロック装置においては、施錠部材３０を取付けねじ３１により筐体２に装着し、施錠部材３０の抜止め片３０ｃに設けられた係止孔３０ｂにロック部材３２の係止ピン３２ｂを挿通して、施錠片３０ｄに側板３２ｄを密着させる。同時に、側板３２ｄのハンドルロック部３２ｅがつまみ部５の後面５ｂに当接する。このとき、施錠片３０ｄの複数の施錠孔３０ｅと側板３２ｄの複数の施錠溝３２ｃとが連通するので、複数の施錠孔３０ｅのそれぞれに南京錠１６のアーム１６ａを挿通して図３に示す状態に施錠する。なお、施錠部材３０の取付けは、筐体２のカバー２ａを取付けるためのねじがある場合には、そのねじを利用して取付けると構成が簡単になる場合がある。
【００１７】
この実施の形態２の構成によれば、側板３２ｄのハンドルロック部３２ｅがつまみ部５に当接するので、つまみ部５が回動（起倒）できないように操作を禁止すると共に、ロック部材３２の封印プレート３２ａで取付けねじ３１の頭部を覆うので、外部から取付けねじ３１を緩めることができなくなり封印できる。
【００１８】
また、複数の施錠孔３０ｅの中心位置は、施錠片３０ｄの上端面３０ｆからそれぞれ異なる位置に設けられているので、ロック部材３２のハンドルロック部３２ｅがつまみ部５の後面５ｂに当接していないときは、施錠孔３０ｅと施錠溝３２ｃとがいずれも連通しない。即ち、ハンドルロック部３２ｅがつまみ部５の後面５ｂに当接したとき複数の施錠孔３０ｅと施錠溝３２ｃとがそれぞれ連通して施錠できるように構成されている。従って、南京錠１６が１個だけの施錠にも適用できる。上記のように、南京錠１６を施錠すれば、南京錠１６のアーム１６ａが施錠溝３２ｃに当り移動できなくなっており、図３に示す施錠状態では施錠部材３０の右方向への抜取りが抑止されている。即ち、操作ハンドル４の回動（起倒）がロックされる。
【００１９】
なお、上記ロック部材３２の施錠溝３２ｃは、ロック部材３２を構成樹脂材で成型する際に、金型の分割を容易にするために溝にしたが、金型の構造によっては、溝にしないで施錠部材３０における施錠孔３０ｅと同様の孔にしても同様の作用効果が得られる。
【００２０】
【発明の効果】
この発明は、以上説明したように構成されているので、以下に記載されるような効果を奏する。
【００２１】
この発明の開閉器の操作ハンドルロック装置によれば、複数の錠が施錠可能な施錠孔を有する施錠部材を用いて、操作ハンドルの操作を拘束するロックカバ−の取外しが抑止されるように構成したので、施錠孔を介して、複数の電気管理者がそれぞれ異なる南京錠を用いて施錠することが可能で、重要な電気回路を複数の電気管理者が管理することが容易にできる。なお、一人の電気管理者が管理する通常の電気回路では、施錠部材を用いないで、つまみ部の係止孔に直接施錠することも可能である。
【００２２】
また、係止孔と複数の施錠孔を有する施錠部材を筐体に固着し、上記係止孔に挿入される係止ピンと上記複数の施錠孔に連通する複数の施錠溝及び上記操作ハンドルに係合するハンドルロック部を有するロック部材により操作ハンドルの操作が拘束されるように構成したものは、簡単な構成で複数の電気管理者がそれぞれ異なる南京錠を用いて施錠することが可能で、重要な電気回路を複数の電気管理者が管理することが容易にできる。なお、一人の電気管理者が管理する通常の電気回路では、一人だけの施錠でも操作ハンドルの操作が拘束できる。
【図面の簡単な説明】
【図１】  この発明の実施の形態１の開閉器の操作ハンドルロック装置を示す側面図である。
【図２】  この発明の実施の形態１の開閉器の操作ハンドルロック装置を示す要部分解斜視図である。
【図３】  この発明の実施の形態２の開閉器の操作ハンドルロック装置を示す側面図である。
【図４】  この発明の実施の形態２の開閉器の操作ハンドルロック装置を示す要部分解斜視図である。
【図５】  従来の開閉器の操作ハンドルロック装置を示す平面図である。
【図６】  従来の開閉器の操作ハンドルロック装置を示す側面図である。
【図７】  従来の開閉器の操作ハンドル部を示す斜視図である。
【図８】  従来のハンドルロックカバーを示す斜視図である。
【図９】  従来のハンドルロックカバーを示す平面図である。
【図１０】  図９の線Ａ−Ａに沿う断面図である。
【符号の説明】
２  筐体、３  開口部、４  操作ハンドル、５  つまみ部、５ｃ  係止孔、
１６  南京錠、２０  ロックカバー、２５  施錠部材、２６  施錠孔、
２７  ロックピン、３０  施錠部材、３０ｅ  施錠孔、３２  ロック部材、
３２ｂ  係止ピン、３２ｃ  施錠溝、３２ｅ  ハンドルロック部。
【図１】
0003803485.tif 000002
【図２】
0003803485.tif 000003
【図３】
0003803485.tif 000004
【図４】
0003803485.tif 000005
【図５】
0003803485.tif 000006
【図６】
0003803485.tif 000007
【図７】
0003803485.tif 000008
【図８】
0003803485.tif 000009
【図９】
0003803485.tif 000010
【図１０】
0003803485.tif 000011